(57)【要約】【課題】眼鏡のレンズ部を確実に保護し、眼鏡の収納及び取り外しが容易であり、ケース本体を他のバッグ等に収納した場合でも破損し難く、ケース本体の収納性能を向上させる。【解決手段】眼鏡ケースは、眼鏡の両レンズの上縁部に沿って二つ折りされることによって、両レンズ及び鼻パッドを前後から覆うようなシート状部材と、前記両レンズ及び鼻パッドの略中間位置であって、シート状部材本体の対向面にそれぞれ設けられた面ファスナーやマグネットホックからなる。眼鏡を収納しない状態では、二つ折りされたシート状部材は、互いに重なり合った密着した薄いケースとなる。眼鏡を収納する場合は、面ファスナー又はマグネットホックを外し、シート状部材の下辺部から眼鏡の両レンズ上部を眼鏡ケースの上方に向かって挿通させ、両レンズの前後を挟み込むように収納する。眼鏡が収納された状態で、面ファスナー又はマグネットホックを前後から押し付けて固着する。【選択図】  図２
2016028680.tif 000002
【特許請求の範囲】
【請求項１】
眼鏡の両レンズの上縁部に沿って二つ折りされることによって、前記両レンズ及び鼻パッドを前後から覆うシート状部材と、
前記両レンズ及び鼻パッドの略中間位置であって、前記シート状部材本体の対向面にそれぞれ設けられた脱着部材と
から構成されることを特徴とする眼鏡ケース。
【請求項２】
請求項１に記載の眼鏡ケースにおいて、前記シート状部材は前記両レンズ及び前記鼻パッドを前後から覆うような略長方形状であることを特徴とする眼鏡ケース。
【請求項３】
請求項１又は２に記載の眼鏡ケースにおいて、前記シート状部材のいずれか一方に、眼鏡のパッドが接触した際に突出可能とする切り込みを設けたことを特徴とする眼鏡ケース。
【請求項４】
請求項１、２又は３に記載の眼鏡ケースにおいて、前記脱着部材は、面ファスナー、磁気板又は磁気ホックから構成されることを特徴とする眼鏡ケース。
【請求項５】
請求項１、２、３又は４に記載の眼鏡ケースにおいて、前記二つ折りされた前記シート状部材の一方に拡大鏡として機能するフレネルレンズを設けたことを特徴とする眼鏡ケース。
【請求項６】
請求項５に記載の眼鏡ケースにおいて、前記シート状部材の他方と前記フレネルレンズとの間に介在するように布部材を設けたことを特徴とする眼鏡ケース。
【発明の詳細な説明】
【技術分野】
【０００１】
本発明は、眼鏡を収納する眼鏡ケースに係り、特に小型軽量かつ着脱容易で、レンズ部を有効に保護することのできる眼鏡ケースに関する。
【背景技術】
【０００２】
眼鏡ケースは、ヒンジなどで連結された合成樹脂等からなる下蓋と上蓋からなるハードケースや皮革、ビニール、布等の素材を袋状又は輪状としたソフトケースなどがあり、眼鏡全体を覆うようなものが主流である。
【０００３】
眼鏡全体を覆う構成の眼鏡ケースは、眼鏡の大きさよりも大きく、携帯用としては不向きであり、バッグなどに収納しても嵩張るという問題を有する。そこで、眼鏡全体を覆うのではなく、レンズ部のみを覆うように構成した眼鏡ケースとして特許文献１〜３のようなものが提案されている。
特許文献１に記載の眼鏡ケースは、下蓋と上蓋からなるハードケース全体を薄くし、レンズ部のみを収納するような構成にしたものである。
特許文献２に記載の眼鏡ケースは、四角形状の布材等の本体の表裏両面にそれぞれ離間した位置に長尺状の磁気板又は面ファスナーを張り付け、この布材本体でレンズ部を覆うようにして磁気板又は面ファスナーを接着することで蓋をするように構成したものである。
特許文献３に記載の眼鏡ケースは、眼鏡の左右両方のレンズの表裏両面に当てる左右両方のレンズカバーが一体になっており、蔓の部分は露出する構造になっていて、レンズ部のみカバーし、蔓の部分はカバーの外に露出させ、左右両方のレンズの表裏両面の当たる部分をレンズ拭き材で構成したものである。
【先行技術文献】
【特許文献】
【０００４】
【特許文献１】実開平０５−０５５９１７号公報
【特許文献２】特開２００３−０００３２７号公報
【特許文献３】特開２００５−２７８８０２号公報
【発明の開示】
【発明が解決しようとする課題】
【０００５】
特許文献１に記載の眼鏡ケースは、全体的な大きさは、従来の眼鏡全体を覆う構成のものに比べて半分程度と小さくすることは可能であるが、携帯用として不向きであり、また、レンズ毎にケース全体の形状を変更しなければならず、種々の大きさのレンズの眼鏡に対応することができない。
特許文献２に記載の眼鏡ケースは、布材等の本体を眼鏡のレンズ部を覆うように巻き付けて磁気板又は面ファスナーで接着してあるだけなので、本体がレンズ部周辺を回転移動する可能性があり、それによって磁気板又は面ファスナーの接着個所も回転移動し、一箇所に留まらず、接着個所を探すのに苦労する。また、眼鏡を収納して居ない状態では、布材等の本体をそのまま携帯すればいいのか、磁気板又は面ファスナーで接着した状態で携帯すればいいのか、または、本体を巻き回して携帯すればよいのか不明であり、バッグなどに収納した場合、布材等の本体が汚れたり、傷んだり、捩じれたり、磁気板又は面ファスナーが剥がれたりする可能性があり、眼鏡ケース本体の収納性能に問題があり、実用的ではない。
特許文献３に記載の眼鏡ケースは、レンズ拭き材等のカバーを左右両方のレンズの表裏両面に当たるように構成し、それぞれのカバーの下端部の内面に永久磁石と磁性板をそれぞれ取り付けなければならず、それぞれのカバーがレンズを全体的に覆うような大きさを備えていなければならず、さらに永久磁石と磁性板を取り付けるための余裕も必要であり、カバー自体が比較的大きくなる。また、レンズの大きさが種々異なる場合における対応が困難であり、実用的でなかった。
【０００６】
本発明は、上述の点に鑑みてなされたものであり、眼鏡のレンズ部を確実に保護し、眼鏡の収納及び取り外しが容易であり、ケース本体を他のバッグ等に収納した場合でも破損し難く、ケース本体の収納性能を向上させることのできる眼鏡ケースを提供することを目的とする。
【課題を解決するための手段】
【０００７】
本発明に係る眼鏡ケースの第１の特徴は、眼鏡の両レンズの上縁部に沿って二つ折りされることによって、前記両レンズ及び鼻パッドを前後から覆うシート状部材と、前記両レンズ及び鼻パッドの略中間位置であって、前記シート状部材本体の対向面にそれぞれ設けられた脱着部材とから構成されることにある。
シート状部材は、眼鏡の両レンズの上縁部に沿って二つ折りされることによって、眼鏡の両レンズ及び鼻パッドを前後から覆うような形状である。すなわち、二つ折りされることによって、シート状部材は、蝶番のように開閉するような構成となっており、眼鏡の両レンズ及び鼻パッドだけを前後から覆うような形状をしている。シート状部材の両端部における両レンズ及び鼻パッドの略中間位置であって、シート状部材本体の対向面に、それぞれ脱着可能な脱着部材が取り付けられているので、眼鏡ケースは眼鏡を収納していない状態では、二つ折りされたシート状部材が互いに重なり合った密着した薄いケースとなる。この眼鏡ケースに眼鏡を収納する場合は、脱着部材を外し、二つ折りされたシート状部材の下辺部を開き、両シートを離反させる。離反によって形成されたシート状部材の下辺部に形成された空間部から眼鏡の両レンズ上部を眼鏡ケースの上方に向かって挿通させる。この挿通によって、二つ折りされたシート状部材は眼鏡の両レンズ及び鼻パッドを前後から挟み込むように収納する。眼鏡が収納された状態で、脱着部材を前後から押し付け固着することによって、眼鏡ケースは、眼鏡を確実に収納することができるようになる。シート状部材は、２枚のシート状部材で構成し、その上辺部に沿った対向面をそれぞれ固着することによって、２枚のシート状部材を蝶番のように開閉可能な構成としてもよい。このように２枚のシート状部材の上辺部に沿った対向面をそれぞれ固着することによって、２枚のシート状部材には、閉じた状態を維持するような付勢力がそれぞれ架かるようになるので、眼鏡が収納されていない状態では、２枚のシート状部材は互いに密着して重なり合った薄いケースを形成することができる。
【０００８】
本発明に係る眼鏡ケースの第２の特徴は、前記第１の特徴に記載の眼鏡ケースにおいて、前記シート状部材は前記両レンズ及び前記鼻パッドを前後から覆うような略長方形状であることにある。
これは、眼鏡ケースを構成するシート状部材の形状を略長方形状としたものである。シート状部材の形状は、両レンズ及び鼻パッドを前後から覆うことができる形状であれば、どのようなものでもよいが、略長方形（角に丸みがある）ものが製造し易いし、ケース本体をバック等に収納することが容易となる。
【０００９】
本発明に係る眼鏡ケースの第３の特徴は、前記第１又は第２の特徴に記載の眼鏡ケースにおいて、前記シート状部材のいずれか一方に、眼鏡のパッドが接触した際に突出可能とする切り込みを設けたことにある。
これは、眼鏡のパッドがシート状部材のいずれか一方に接触することによってシート状部材が変形するので、その変形を極力少なくするために、切り込みを設けたものである。なお、切り込みの代わりに、開口を設けてもよい。
【００１０】
本発明に係る眼鏡ケースの第４の特徴は、前記第１、第２又は第３の特徴に記載の眼鏡ケースにおいて、前記脱着部材は、面ファスナー、磁気板又は磁気ホックから構成されることにある。
面ファスナー、磁気板又は磁気ホックは薄いので、眼鏡ケースが閉じた状態を薄く維持することができる。このように薄い眼鏡ケースは、財布などにも収納することができ、ケース本体自体の収納性能を飛躍的に向上することができる。
【００１１】
本発明に係る眼鏡ケースの第５の特徴は、前記第１、第２、第３又は第４の特徴に記載の眼鏡ケースにおいて、前記二つ折りされた前記シート状部材の一方に拡大鏡として機能するフレネルレンズを設けたことにある。
二つ折りされたシート状部材の一方にフレネルレンズを設けることによって、拡大鏡を使用したいときの眼鏡ケースを取り出すことで直ぐに利用することができるようになり、拡大鏡利用時の利便性を向上することができる。また、フレネルレンズの厚さが０．５〜２．０［ｍｍ」と比較的薄いので、二つ折りされた眼鏡ケースに設けても、その全体的な厚さを拡大することもない。シート状部材に比較的軟質の材料を使用した場合に、硬質のフレネルレンズの存在によって、二つ折りされた眼鏡ケースの外観形状を略長方形状に維持するができる。フレネルレンズは、二つ折りされたシート状部材の一方の両側端部のいずれかに設けることが好ましいが、これ以外の場所に設けてもよい。
【００１２】
本発明に係る眼鏡ケースの第６の特徴は、前記第５の特徴に記載の眼鏡ケースにおいて、前記シート状部材の他方と前記フレネルレンズとの間に介在するように布部材を設けたことにある。
フレネルレンズを二つ折りされたシート状部材の一方に設けた場合、眼鏡ケースに眼鏡を収納する際に、眼鏡のレンズとフレネルレンズとか接触しないようにするために、シート状部材の他方とフレネルレンズとの間に介在するように布部材を設けたものである。フレネルレンズが二つ折りされたシート状部材の一方の両側端部のいずれかに設けられている場合には、布部材は、シート状部材の一方の両側端部のフレネルレンズの設けられていない方に設けることが好ましい。なお、フレネルレンズの設けられている同じ方に設けてもよいことは言うまでもない。
【発明の効果】
【００１３】
本発明の眼鏡ケースによれば、眼鏡のレンズ部を確実に保護し、眼鏡の収納及び取り外しが容易であり、ケース本体を他のバッグ等に収納した場合でも破損し難く、ケース本体の収納性能を向上させることができるという効果がある。
【図面の簡単な説明】
【００１４】
【図１】本発明の眼鏡ケースの一例を示す図である。
【図２】図１の眼鏡ケースに眼鏡を収納した状態を示す図である。
【図３】本発明の眼鏡ケースの変形例を示す図である。
【図４】図３の眼鏡ケースに眼鏡を収納した状態を示す図である。
【図５】図１〜図４に示した眼鏡ケースの変形例を示す図である。
【図６】図５の眼鏡ケースの使用態様の一例を示す図である。
【図７】図５及び図６に示した眼鏡ケースの変形例を示す図である。
【発明を実施するための形態】
【００１５】
以下添付図面に従って本発明に係る眼鏡ケースの好ましい実施の形態について説明する。図１は、本発明の眼鏡ケースの一例を示す図であり、図１（Ａ）は、眼鏡ケースの正面図、図１（Ｂ），（Ｃ）は、図１（Ａ）を右から見た側面図、図１（Ｄ）は、図１（Ａ）を裏側から見た裏面図である。図２は、図１の眼鏡ケースに眼鏡を収納した状態を示す図である。
【００１６】
図１において、眼鏡ケース１は、図示していない眼鏡の両レンズ及び鼻パッドを覆う程度の大きさをした略長方形状の２枚のシート状部材１１，１２から構成される。シート状部材１１，１２は、皮革、ビニール、布等の素材からなり、２枚とも同じ形状をしている。シート状部材１１，１２の上辺部は、木綿糸、絹糸、ポリエステル糸、ポリアミド系繊維糸などで縫い合わせられている。糸の縫い合わせは、ミシンなどの機械縫いでも手縫いでもよい。図１では、糸による縫い合わせ個所１３を一点鎖線で示してある。なお、レンズに接触する部分すなわち、シート状部材１１側に保護膜等を有すれば、シート状部材１１，１２は、プラスチックなどの柔軟性の高い材質で構成してもよい。
【００１７】
眼鏡ケース１は、シート状部材１１，１２の上辺部に沿った対向面を縫い合わせて固着してある。このように２枚のシート状部材１１，１２の上辺部に沿った対向面を固着することによって、図１（Ｂ）の側面図に示すように、蝶番が閉じた状態を維持するような付勢力が２枚のシート状部材１１，１２にはそれぞれ架かり、２枚のシートは閉じる方向に密着するようになっている。２枚のシート状部材１１，１２の下辺部の略中央付近には、面ファスナー１４，１５からなる脱着部材が取り付けられている。面ファスナー１４はシート状部材１１側に、面ファスナー１５はシート状部材１２側に、２枚のシート状部材１１，１２の対向面にそれぞれ取り付けられている。すなわち、面ファスナー１４，１５は、眼鏡の鼻パッドのほぼ中間付近及び眼鏡の両レンズの略中間位置に配置されることが好ましい。このような位置に面ファスナー１４，１５を配置することによって、シート状部材１１，１２の縦方向の長さをレンズの長さとほぼ同じにすることができ、眼鏡ケース１本体の小型化を達成することができる。
【００１８】
面ファスナー１４，１５は、いずれか一方がフック状に起毛されたフック面であり、他方がループ状に密集して起毛されたループ面で構成される。なお、これ以外にも、フック状起毛とループ状起毛の両方が植え込まれ、フック面とループ面との区別のないタイプの面ファスナーを用いてもよい。さらには、マッシュルーム状に起毛されていて結合力が強いクリックタイプ、鋸歯状のシャークバイト（鮫歯）タイプなどを用いてもよい。また、面ファスナーに代えて脱着部材として、磁気板又は磁気ホック等を用いてもよい。磁気板は、面ファスナーと同様に薄い板材なので好ましい。磁気ホック等は若干の凹凸が発生するが、極力薄いものを使用することで十分対応可能である。
【００１９】
シート状部材１２のほぼ中央付近には、クロス状（Ｘ字形）の切り込み（スリット）１６が開設されている。切り込み１６は、鼻を両脇から挟むように眼鏡を固定する部位のパッド（鼻あて）がシート状部材１２に接触した際に、この切り込み１６を介して突出可能とするものである。この切り込み１６によって、シート状部材１２がパッドに接触した際の変形を少なくすることができる。切り込み１６に代えて、開口を設けてもよい。この開口を鼻パッドの形状に合わせてもよいし、これよりも十分に大きなものでもよい。
【００２０】
眼鏡ケース１に眼鏡を収納する場合には、シート状部材１１，１２の下辺部を開き、面ファスナー１４，１５を離反させる。面ファスナー１４，１５の離反によって形成されたシート状部材１１，１２の下辺部の空間部から眼鏡の両レンズ上部を矢印１７の方向に沿って挿通させる。この挿通によって、シート状部材１１，１２は眼鏡の両レンズの前後を挟み込むようになる。眼鏡全体がシート状部材１１，１２に挟み込まれ、収納された状態で、面ファスナー１４，１５を前後から押し付けることによって、眼鏡ケース１は、図２に示すように、眼鏡を確実に収納される。この面ファスナー１４，１５の大きさは、眼鏡ケース１のシート状部材１４，１５を固着することができる程度の大きさでよい。
【００２１】
図３は、図１の眼鏡ケースの変形例を示す図であり、図３（Ａ）は、眼鏡ケースの正面図、図３（Ｂ）は、図３（Ａ）の眼鏡ケースを右から見た側面図である。図４は、図３の眼鏡ケースに眼鏡を収納した状態を示す図であり、図４（Ａ）は、眼鏡を収納した眼鏡ケースの正面図、図４（Ｂ）は、図４（Ａ）を右から見た側面図、図４（Ｃ）は、図４（Ａ）を上から見た上面図である。図４では、眼鏡は点線で示してある。図３及び図４において、図１及び図２と同じ構成のものには同一の符号が付してあるので、その説明は省略する。
【００２２】
図３及び図４の眼鏡ケースが図１及び図２のものと異なる点は、図１及び図２の眼鏡ケースから切り込み１６を省略し、シート状部材２１，２２の長さを異ならせた点である。図２に示すように、切り込み１６が存在することによって、切り込み１６から眼鏡のパッドが外側に突出するように変形するので、眼鏡ケース１のシート状部材１１，１２の縦方向の長さをほぼ同じとすることができる。これに対して、切り込み１６を省略することによって、眼鏡のパッドの突出分だけシート状部材２２の縦方向の長さを長く設定することによって、眼鏡のパッドの突出量を吸収できるようにしてある。図２（Ｂ）と図４（Ｂ）とを比較してみると、シート状部材２２が眼鏡のパッドに対応して大きく変形していることが理解できる。なお、眼鏡のパッドがそんなに大きく突出していない場合には、シート状部材２１，２２の縦方向の長さを同じにしても良いことは言うまでもない。
【００２３】
図５は、図１〜図４に示した眼鏡ケースの変形例を示す図である。図１〜図４の眼鏡ケース３では、２枚のシート状部材の上辺部に沿った対向面を固着することによって開閉可能に眼鏡ケース３本体を形成する場合について説明したが、１枚のシート状部材３１を眼鏡の両レンズの上縁部に沿って二つ折りすることによって、両レンズ及び鼻パッドを前後から覆うようにしたものである。シート状部材３１のほぼ中央に示す点線は、両レンズの上縁部に沿って二つ折りされる箇所の折り畳み線３２である。この折り畳み線３２の下側が眼鏡の両レンズの前面側に対向する下シート状部材３１ａであり、上側が両レンズの後面側及び鼻パッド側に対向する上シート状部材３１ｂである。下シート状部材３１ａには面ファスナー３４が、上シート状部材３１ｂには面ファスナー３５がそれぞれ二つ折りされた場合に対向するように設けられている。
【００２４】
図５は、シート状部材３１を開いた状態の眼鏡ケース３の内側を示す。図５に示すように、眼鏡ケース３は、図１〜図４に示した眼鏡ケース１，２とは異なり、下シート状部材３１ａの両側端部の一方（図では右側端部）に眼鏡拭きとなる略長方形状の布部材３６が折り畳み可能に設けられおり、他方（図では左側端部）に略長方形状のフレネルレンズ３７が折り畳み可能に設けられている。このフレネルレンズ３７は、辞書、新聞、本、雑誌、時刻表、電話帳、地図などの小さな文字や細かい図などを鮮明に拡大するための拡大鏡として機能する。フレネルレンズ３７は、厚さが０．５〜２．０［ｍｍ」のシート状のものを使用することが好ましい。図５では、フレネルレンズ３７の中心が眼鏡の両レンズのほぼ中央付近の一箇所又は鼻パッド付近に位置するように構成しているが、眼鏡の両レンズのそれぞれの中心に対応させて２箇所にフレネルレンズの中心が位置するように構成してもよい。
【００２５】
図６は、図５の眼鏡ケースの使用態様の一例を示す図である。図６（Ａ）は、図５に示した１枚のシート状部材３１を二つ折りにして、その内側に布部材３６を折り畳んで収納し、その左外側にフレネルレンズ３７を突出させて拡大鏡として使用可能にした状態を示す。二つ折りにされたシート状部材３１からなる眼鏡ケース３の本体を手で保持することによって、フレネルレンズ３７に直接手指が触れることなく、所望の箇所に配置することができる。図６（Ｂ）は、図５に示した１枚のシート状部材３１を二つ折りにして、その内側にフレネルレンズ３７を折り畳んで収納し、その右外側に布部材３６を突出させて眼鏡拭きとして使用可能にした状態を示す。眼鏡ケース３の本体から突出した布部材３６を用いて眼鏡のレンズ拭き作業を容易に行うことができる。
【００２６】
図６（Ｃ）は、図５に示した１枚のシート状部材３１を二つ折りにして、その内側にフレネルレンズ３７及び布部材３６を折り畳んで収納した状態を示す。図６（Ｄ）は、図６（Ｃ）の収納した状態を右側から見た側面図である。図６（Ｃ），（Ｄ）に示すように眼鏡ケース３は、布部材３６及びフレネルレンズ３７を有しているが、それ以外の構成は、図３及び図４の眼鏡メース２と同様の構成をしている。なお、図６（Ｃ），（Ｄ）では、フレネルレンズ３７が下シート状部材３１ａに接触するように対向し、布部材３６が上シート状部材３１ｂに接触するように対向してある。すなわち、二つ折りされたシート状部材３１の内側にフレネルレンズ３７を先に収納し、その後でフレネルレンズ３７を覆うように布部材３６を収納している。
【００２７】
図６（Ｃ）に示すような眼鏡ケース３の下シート状部材３１ａと布部材３６との間に眼鏡を収納した場合、フレネルレンズ３７と眼鏡の両レンズの前面側との間には布部材３６が介在するようになるので、両者のレンズが接触することはない。また、図６（Ｃ）に示すように、シート状部材３１よりも比較的硬質のフレネルレンズ３７を設けたことによって、二つ折りにされたシート状部材３１からなるケース本体（眼鏡ケース３）の外観形状（外形）を略長方形状として固定的に維持することが可能となる。シート状部材３、フレネルレンズ３７及び布部材３６の厚さがそれぞれ約０．５［ｍｍ］とした場合、図６（Ｄ）に示すように眼鏡ケース３全体の厚さは約２．０［ｍｍ］程度と薄くすることができるので、財布などにも十分収納することができる。
【００２８】
図７は、図５及び図６に示した眼鏡ケースの変形例を示す図である。図７（Ａ）はシート状部材４１からなる眼鏡ケース４の開いた状態を示し、図７（Ｂ）はその眼鏡ケース４を閉じた状態を示す。図５，図６の眼鏡ケース３では、下シート状部材３１ｂの両側端部に布部材３６とフレネルレンズ３７を設ける場合について説明したが、図７の眼鏡ケース４では、布部材３６とフレネルレンズ３７を省略し、１枚のシート状部材４１を眼鏡の両レンズの上縁部に沿って二つ折りにし、面ファスナー３４，３５に代えて、マグネットホック４４，４５を用いるようにした。
【００２９】
シート状部材４１のほぼ中央に示す点線が、両レンズの上縁部に沿って二つ折りされる折り畳み線４２であり、この折り畳み線４２の下側が眼鏡のレンズに対向する下シート状部材４１ａであり、上側が鼻パッドに対向する上シート状部材４１ｂである。上シート状部材４１ｂの両端部であって折り畳み線４２に接するように半円状の切欠き部４２ａ，４２ｂが形成されている。切欠き部４２ａ，４２ｂは、二つ折りにしたときに、眼鏡フレームの蝶番（ヒンジ）が眼鏡ケース４の本体側に接触するのを避けるために設けられている。なお、図７の眼鏡ケース４の下シート状部材４１ａの両端部に、図５及び図６のような布部材及び／又はフレネルレンズを設けてもよい。この場合、布部材及びフレネルレンズとマグネットホック４４，４５とが相互に重なるような場合には、布部材及びフレネルレンズにそれぞれ切欠き部を設けて、両者が重ならないようにすることが好ましい。なお、眼鏡の両レンズに接触する部分、すなわち、下シート状部材４１ａの内側面にだけ保護膜等を設けるようにしてもよい。
【００３０】
上述の眼鏡ケース１，２を製造する場合、先に面ファスナー１４，１５の取り付けられたシート状部材１１，１２，２１，２２を作成し、収納する眼鏡のサイズ（縦方向の長さ）に応じて、糸による縫い合わせ個所１３を決定し、その後にシート状部材１１，１２，２１，２２を縫い合わせて固着すると、眼鏡のサイズに合致した眼鏡ケース１，２を作成することができる。また、切り込み１６については、収納する眼鏡のパッドの大きさに応じて、切り込み１６を設けるか否かを決定するようにしてもよい。
上述の実施の形態では、シート状部材１１，１２，２１，２２を糸などで縫い合わせる場合について説明したが、接着剤などで固着するようにしてもよい。また、眼鏡ケース１，２の素材として柔軟性のあるプラスチッチ素材を用いた場合、プラスチック同士を溶かして接着してもよい。
【００３１】
上述の眼鏡ケース３，４のシート状部材３１，４１として、皮革、合成皮革、人工皮革、ビニール、布等の素材やプラスチックなどの柔軟性の高い材質を使用してもよい。また、上述の眼鏡ケース４の場合、眼鏡のレンズと接触する箇所の下シート状部材４１ａの内側全面、又はシート状部材４１の内側全面にマイクロファイバークロスやシルク（絹）などの眼鏡拭き用布材を縫い付けたり、貼り付けたりしてもよい。また、上述の眼鏡ケース１〜４の外形の形状は一例であり、角を丸くしたり、直角形状のままとしたり、又は特殊な形状としてもよい。
【符号の説明】
【００３２】
１，２，３，４…眼鏡ケース
１１，１２，２１，２２，３１，４１…シート状部材
３１ａ，４１ａ…下シート状部材
３１ｂ，４１ｂ…上シート状部材
１３，２３…縫い合わせ個所
１４，１５，２４，２５，３４，３５…面ファスナー
１６…切り込み
４２ａ，４２ｂ…切欠き部
４４，４５…マグネットホック
【図１】
2016028680.tif 000003
【図２】
2016028680.tif 000004
【図３】
2016028680.tif 000005
【図４】
2016028680.tif 000006
【図５】
2016028680.tif 000007
【図６】
2016028680.tif 000008
【図７】
2016028680.tif 000009